(57)【特許請求の範囲】
【請求項１】
通信デバイスであって、ハウジングと、前記ハウジング内に配置されていて、タッチ・センス・スクリーンを持つ、データ入力およびデータ表示用のディスプレイと、音声呼出しデータを受信し、処理するための無線回路と、音声通信チャネルが設定された場合に、前記デバイスの動作を制御し、前記タッチ・センス・スクリーンの少なくとも一部を動作できなくすることができるプロセッサと、前記プロセッサによってされた動作できない状態を無効にするための手段とを備えることを特徴とする通信デバイス。
【請求項２】
請求項１に記載のデバイスにおいて、前記プロセッサが、所定の領域から離れた場所にあるすべての前記タッチ・センス・スクリーンを動作できなくすることができることを特徴とするデバイス。
【請求項３】
請求項２に記載のデバイスにおいて、前記タッチ・センス・スクリーンの前記所定の領域が、手で触れた場合、前記タッチ・センス・スクリーンを動作させることができる領域を含むことを特徴とするデバイス。
【請求項４】
請求項１乃至３の何れかに記載のデバイスにおいて、前記プロセッサが、ユーザが音声呼出しを開始した場合、前記タッチ・センス・スクリーンを動作できなくすることができることを特徴とするデバイス。
【請求項５】
請求項１乃至３の何れかに記載のデバイスにおいて、音声通信チャネルを確立するために、前記デバイスがダイヤルをスタートした場合に、前記プロセッサが、前記タッチ・センス・スクリーンを動作できなくすることができることを特徴とするデバイス。
【請求項６】
請求項１乃至３の何れかに記載のデバイスにおいて、呼び出された相手側が、前記デバイスが開始した音声呼出しに応答した場合、前記プロセッサが、前記タッチ・センス・スクリーンを動作できなくすることができることを特徴とするデバイス。
【請求項７】
請求項１乃至６の何れかに記載のデバイスにおいて、音声呼出しが前記デバイスにより受信された場合、前記プロセッサが、前記タッチ・センス・スクリーンを動作できなくすることができることを特徴とするデバイス。
【請求項８】
請求項１乃至７の何れかに記載のデバイスにおいて、ユーザの入力に応じて音声呼出しに対して応答が行われた場合、前記プロセッサが、前記タッチ・センス・スクリーンを動作できなくすることができることを特徴とするデバイス。
【請求項９】
請求項１乃至８の何れかに記載のデバイスにおいて、さらに、前記デバイスに取り付けることができ、前記タッチ・センス・スクリーンを通してデータを入力するためのデータ入力装置を含み、前記データ入力装置を前記デバイスから取り外した場合、前記プロセッサが、前記タッチ・センス・スクリーンを動作できるようにすることができることを特徴とするデバイス。
【請求項１０】
請求項１乃至９の何れかに記載のデバイスにおいて、さらに、前記デバイスに取り付けることができ、前記タッチ・センス・スクリーンを通してデータを入力するためのデータ入力装置を含み、前記データ入力装置を前記デバイスに取り付けた場合、前記プロセッサが、前記タッチ・センス・スクリーンを動作できなくすることができることを特徴とするデバイス。
【請求項１１】
請求項９または１０に記載のデバイスにおいて、前記データ入力装置が前記デバイスから取り外された場合、前記プロセッサが、前記ディスプレイ上に、前記データ入力装置が取り外されたことを示すアイコンを表示させることができることを特徴とするデバイス。
【請求項１２】
請求項９乃至１１の何れかに記載のデバイスにおいて、前記データ入力装置が、前記タッチ・センス・スクリーンの動作できない状態が所定の時間継続した後で、前記デバイスに再度取り付けられなかった場合に、前記プロセッサが、可聴警報を発生させることができることを特徴とするデバイス。
【請求項１３】
請求項１乃至１２の何れかに記載のデバイスにおいて、前記デバイスが携帯用であることを特徴とするデバイス。
【請求項１４】
請求項１乃至１３の何れかに記載のデバイスにおいて、前記デバイスが無線電話機であることを特徴とするデバイス。
【請求項１５】
タッチ・センス・スクリーンを持つ、データを入力し、表示するためのディスプレイと無効にするための手段を備える携帯用通信デバイスを動作させるための方法であって、音声呼出しデータを受信し、処理するステップと、音声通信チャネルが確立され、前記タッチ・センス・スクリーンの少なくとも一部が動作できなくなった場合に、前記デバイスの動作を制御するステップと、ユーザが前記無効にするための手段を操作した場合に、プロセッサによって動作できない状態を無効にするステップとを含むことを特徴とする方法。
【発明の詳細な説明】
【０００１】
【発明の属する技術分野】
本発明は、通信デバイスに関し、特にタッチ・センス・スクリーンを持つ通信デバイスに関する。
【０００２】
【従来の技術、及び、発明が解決しようとする課題】
このようなデバイスの例としては、パーソナル・デジタル・アシスタント（ＰＤＡ）、コミュニケータ、ラップトップおよび無線電話ハンドセット等がある。
【０００３】
【課題を解決するための手段】
本発明は、ハウジングと；上記ハウジング内に配置されていて、タッチ・センス・スクリーンを持つ、データ入力およびデータ表示用のディスプレイと；音声呼出しデータを受信し、処理するための回路と；音声通信チャネルが確立された場合に、デバイスの動作を制御し、タッチ・センス・スクリーンの少なくとも一部を動作できなくすることができるプロセッサとを備える通信デバイスを提供する。
好適には、プロセッサは、所定のエリアから離れた場所にあるすべてのタッチ・センス・スクリーンを動作できなくすることができることが好ましい。この所定のエリアは、手で触れた場合、タッチ・センス・スクリーンを動作させることができるタッチ領域を含むことができる。
【０００４】
プロセッサは、ユーザが音声呼出しをスタートさせた場合に、タッチ・センス・スクリーンを動作できないようにすることができる。それ故、ユーザが、デバイスのフックを外した場合でも、タッチ・センス・スクリーンを動作できないようにすることができる。
プロセッサは、デバイスが、音声呼出しを確立するために動作をスタートした場合、タッチ・センス・スクリーンを動作できなくすることができる。それ故、ユーザが呼出し相手の電話番号をダイヤルした場合であって、デバイスがユーザが入力した上記電話番号のダイヤルをスタートした場合には、プロセッサは、タッチ・センス・スクリーンを動作できなくすることができる。
【０００５】
好適には、プロセッサは、呼び出された相手側が、デバイスが開始した音声呼出しに応答した場合、タッチ・センス・スクリーンを動作できなくすることができることが好ましい。
プロセッサは、音声呼出しがデバイスにより受信された場合、タッチ・センス・スクリーンを動作できなくすることができる。それ故、デバイスのユーザが、外部からの音声呼出しに応えてハンドセットを外した場合、タッチ・センス・スクリーンは動作できなくなる。
【０００６】
デバイスは、また、タッチ・センス・スクリーンを通してデータを入力するためのデータ入力装置を含むことができる。このようなデータ入力装置としては、スタイラス等を使用することができる。データ入力装置は、固定状態にデバイスに取り付けることができ、プロセッサは、データ入力装置がデバイスの固定位置から取り外された場合、タッチ・センス・スクリーンを動作できるようにすることができる。プロセッサは、データ入力装置が、その固定位置またはデバイスに元通りに取り付けられた場合には、タッチ・センス・スクリーンを動作できないようにすることができる。
好適には、デバイスは、また、プロセッサが、タッチ・センス・スクリーンを動作できないようにした場合、それを無効にするための手段を含む。それ故、ユーザは、そうしたい場合には、タッチ・センス・スクリーンの動作できない状態を無効にすることができ、音声呼出しの間この機能を使用することができる。
【０００７】
本発明は、タッチ・センス・スクリーンを持つすべての通信デバイスに適用することができ、特に、携帯用の通信デバイスに適用することができる。そのようなデバイスとしては、携帯用無線電話機またはＰＤＡのような無線通信デバイス等がある。
添付の図面を参照しながら本発明を説明するが、この説明は単に例示としてのものに過ぎない。
【０００８】
【発明の実施の形態】
図１は、本発明の携帯用無線通信デバイスの第一の実施形態の機能素子図である。デバイス２は、音声機能を持つ無線通信用のデバイスに必要な通常の構成部材、例えば、ディスプレイ５、ラウドスピーカ８、マイクロホン１０、無線回路１２、処理回路１４およびアンテナ１５を含む。
図２は、本発明の第一の実施形態の図面である。デバイス２は、タッチ・センス・スクリーン６を持つディスプレイを収容している本体４を備える。スタイラス１６は、タッチ・センス・スクリーン６を通してデバイスにデータを入力するためのものである。
【０００９】
図３は、図２のデバイスの断面図である。本体４は、ディスプレイおよびデバイスのエレクトロニクス用のボード２０を収容している。ディスプレイは、従来のディスプレイ装置５（例えば、ＬＣＤディスプレイ）、およびタッチ・センス・スクリーン６に指を触れたり、または指を離したりした場合に、デバイスのプロセッサ１４に指示するためのタッチ・センス・スクリーン６を備える。タッチ・センス・スクリーンは、ディスプレイ装置の一方の面を覆っている。タッチ・センス・スクリーンは、例えば、スクリーンに触れた場合に、その特性が変化するような、抵抗性の材料のような適当な任意の材料から作ることができる。
ボード２０は、タッチ・センス・スクリーン６用の制御回路、およびデバイスの通信機能用の回路（すなわち、無線回路１２および処理回路１４）を含む。
【００１０】
図２について説明すると、ディスプレイ５は電話モードになっている。ディスプレイ装置５上には、０から９までの数字と、電話の機能を示すソフトキー２０、２２、２４、２６が表示されている。ソフトキー２０は、デバイスに記憶している電話番号の詳細を選択するためのものである。ソフトキー２２は、手ブラ動作を選択するためのものである。ソフトキー２４（送信キー）は、ハンドセットを外した状態を選択するためのものである。（すなわち、音声（または電話）呼出しを行うために、ダイヤルした数字に対して音声通信チャネルを確立するためのものである。）ソフトキー２６（終了キー）は、ハンドセットを掛けた状態を選択するためのものである。（すなわち、音声呼出しを終了するためのものである。）デバイスは、例えば、データ入力および選択用の機械的キーパッドを使用する等の他の方法で、この機能を備えることができる。上記電話機能を実行するための方法は、本発明にとって基本的なものではない。
【００１１】
無線通信の場合には、制御チャネルおよび通信チャネル、すなわち、移動局構成要素（ＭＥ）（例えば、無線ハンドセット）が、ある種の制御チャネルおよび通信チャネルにより無線アクセス・ネットワーク（ＲＡＮ）と通信するために使用される。
デバイスから呼出しを行う場合には、デバイス２のユーザは、マンマシン・インターフェース（ＭＭＩ）により、デバイスの特定の手段を使用して呼出しを開始する。図２の実施形態の場合には、０から９までの数字を使用して、相手方の電話番号を入力することにより、またはソフトキー２０に触れ、その後で、送信キー２４を選択して、デバイスのメモリに記憶しているリストから相手方を選択することによりこの呼出しが行われる。その後で、プロセッサ１４は、ＲＡＮに対して制御チャネルを開き、呼出しを確立するために、適当なネットワークの構成部材と交渉する。ある種の他の入力手段（例えば、機械的キーボード）も使用することができる。
【００１２】
デバイスまたはＲＡＮにより音声呼出しを終了することができる。いずれの場合も、呼出しを終了させる側は、呼出しを終了させるという信号を、制御チャネルを通して相手方に送る。
ＲＡＮがデバイスに通信チャネルを開くようにページを送信すると、移動局のの終了（ＭＴ）呼が検出される。
無線回路１２が、外部からの呼出しを受信中であることを検出すると、プロセッサ１４は、ユーザに、外部から呼出されていることを知らせるために信号を出力する。この信号は、可聴警報を発生させるために、ラウドスピーカ８に送ることもできるし、視覚的警報を表示させるために、ディスプレイ５に送ることもできるし、および／または触感による警報を知らせるために、（例えば）振動バッテリーに送ることもできる。ユーザが外部からの呼出しに応答する場合には、ユーザは、ハンドセットを外すためのソフトキー２４を選択する、その場合、音声呼出しが確立される。
【００１３】
プロセッサ２４が、ユーザが、（例えば、ハンドセットを外すソフトキー２４を選択することにより）呼出しへの応答を選択したことを検出した場合には、プロセッサは、タッチ・センス・スクリーン６を動作できないようにする。それ故、ラウドスピーカが、ユーザの耳の近くにくるようにデバイスを配置した場合には、ユーザの耳または頬に触れたために、音声呼出し中に、タッチ・センス・スクリーン６により偶発的にアプリケーションが作動することはありえない。
呼出しが終了すると、プロセッサは、呼出しの終了を検出し、タッチ・センス・スクリーン６が動作できるようにする。呼出しは多くの方法で終了させることができる。例えば、機械的「終了」キーを設置することができる。
【００１４】
デバイスは、プロセッサによってタッチ・センス・スクリーンを自動的に動作不可能にされた状態を無効にするための手段を備えることができる。この手段は、選択された場合に、タッチ・センス・スクリーンを動作することができるようにする機械的ボタンをデバイス上に備える。それ故、ユーザは、音声呼出しが現在行われている場合でも、デバイスのＰＤＡ機能を使用することができる。別の方法としては、（もし、設置されている場合には）カバーを第一の閉位置から第二の開位置に移動させることにより同じ機能を行うことができる。
【００１５】
図２の実施形態の場合には、タッチ・センス・スクリーンが動作できなくなると、ソフトキー２８がディスプレイ装置５上に表示される。ソフトキー２８の上に位置するタッチ・センス・スクリーンの領域は、音声呼出中、作動状態に維持される。ユーザが、呼出し中に、タッチ・センス・スクリーン６の主要な領域を再度作動させたい場合には、ユーザはソフトキー２８に触れる。そうすると、タッチ・センス・スクリーンが、動作することができるようになる。その後で、ユーザは、「終了」キー２６を選択することができる。このオーバライド・キー２８の位置は、呼出し中にユーザがうっかり触れる可能性が最も低い、タッチ・センス・スクリーン６上のある領域内にくるように選択しなければならない。
【００１６】
ユーザが、デバイスを手ブラ・モードで使用したい場合には、ユーザは、手ブラ・モード・ソフトキー２２を選択する。この選択はプロセッサ１４により検出され、その検出に応じて、オーディオ出力が、専用の手ブラ用ラウドスピーカ（図示せず）により供給される。別の方法としては、ヘッドセットのイヤホンが、デバイスに接続している場合に、呼出しを確立しなければならない場合、このオーバライド機能により、タッチ・センス・スクリーンが自動的に動作できなくなっている状態を無効にすることができる。それ故、ヘッドセットがデバイスに接続している場合には、ユーザは、音声呼出し中に、タッチ・センス・スクリーンを通して使用することができる機能を引続き使用することができる。
【００１７】
図４は、本発明の第二の実施形態の機能素子図である。検出装置４０は、スタイラス１６がデバイス上の、またはデバイス内のその固定位置から取り外された場合、タッチ・センス・スクリーンを作動させるためのものである。図２および図４の実施形態の場合、スタイラスは、デバイスのハウジング４内のチャネルに保持されている。しかし、スタイラスは、ハウジング４の外部に、取り外すことができる状態で、単に固定して接続することもできる。
【００１８】
検出装置４０としては、例えば、機械的、光学的または電気機械的な手段のような、適当な任意の形のものを使用することができる。スタイラスがチャネルから取り外されると、その移動は検出装置４０により検出され、信号がプロセッサ１４に送られる。それに応じて、プロセッサ１４は、その全体、またはソフトキー２８の領域内だけ、タッチ・センス・スクリーン６を作動させることができる。スタイラスをその元の保持位置に戻すと、検出装置４０は、それを検出し、信号をプロセッサ１４に送る。プロセッサ１４は、それに応じて、タッチ・センス・スクリーン６を動作できないようにする。プロセッサ１４はまた、検出装置４０からの信号を、デバイスの他のアプリケーションを制御するために使用することができる。アプリケーションの例としては、タッチ・センス・スクリーン上の、スタイラスが除去されたことを示すアイコンを作動することができるようにすること；所定の時間動作できない状態が継続した後で、ユーザに、スタイラスが元の保持位置に戻されていないことを示す可聴警報を実行すること等がある。
【００１９】
タッチ・センス・スクリーンがその働きをしている、ユーザ・インターフェースの他に、デバイスは、例えば、機械的キーパッドまたは音声入力のような他のユーザ・インターフェース手段を含むこともできる。デバイスは、また、音声呼出しが行われている場合に、ユーザ・インターフェースのこれらの手段を動作できなくするように配置することもできる。
本発明は、タッチ・センス・スクリーンを持つすべての通信デバイスに適用することができる。このようなデバイスの例としては、無線電話ハンドセット、パーソナル・オーガナイザ、コミュニケータ、ラップトップ等がある。本発明は、移動無線通信デバイスに特に適しているが、有線通信デバイスにも使用するすることができる。
【００２０】
本発明は、タッチ・センス・スクリーンを収容している本体を持つ通信デバイスに関する。上記デバイスは、移動させることができるカバーを持つことができ、このカバーを第一の閉位置にセットすると、タッチ・センス・スクリーンの少なくとも一部が覆われる。カバーを第二の開位置にセットすると、タッチ・センス・スクリーンが露出する。デバイスが無線電気通信機能を持っている場合には、カバーを閉位置から移動させると、通信チャネルが確立される。
【図面の簡単な説明】
【図１】本発明の携帯用無線通信デバイスの第一の実施形態の機能素子図である。
【図２】本発明の携帯用無線通信デバイスの第一の実施形態の図面である。
【図３】図２のデバイスの部分断面図である。
【図４】本発明の携帯用無線通信デバイスの第二の実施形態の機能素子図である。
【図１】
0004919531.tif 000002
【図２】
0004919531.tif 000003
【図３】
0004919531.tif 000004
【図４】
0004919531.tif 000005